(57)【特許請求の範囲】
【請求項１】
芯内筒１と芯外筒２とで構成する芯収容筒３の間隙に芯４を上下動自在に取付け、
かつ、芯収容筒３の外方に隣接して設けた空気室５と、該空気室５内に収納される芯上下装置６とを設け、
芯４は芯上下装置６によって上下動すると共に、通常消火の芯降下位置よりも緊急消火の芯降下位置を低く設定し、
かつ、前記空気室５には空気室５と外気とを連通する空気流通孔７を設けると共に、通常消火の芯降下位置よりも低く、緊急消火の芯降下位置よりも高い位置に芯収容筒３の間隙と空気室５とを連通する通気口８を設け、
緊急消火時に降下した芯４によって通気口８が開口する石油燃焼器において、
前記通気口８は芯収容筒３の全周に複数個所配置すると共に、前記芯外筒２には通常消火の芯降下位置よりも低く、通気口８よりも高い位置で空気室５の上方の芯収容筒３壁に外気と連通する空気孔９を設け、かつ、該空気孔９は通気口８の間に設けて通気口８と空気孔９とは交互に配置したことを特徴とする石油燃焼器の消火装置。
【請求項２】
前記通気口８はスリット状の開口を複数個並べて形成し、空気孔９は通気口８のない部分に複数個の小孔９ａを並べて形成したことを特徴とする請求項１記載の石油燃焼器の消火装置。
【請求項３】
芯４の上下動と連動して空気流通孔７を開閉する開閉弁１０を設け、空気流通孔７は開閉弁１０によって燃焼時に開口し、消火時に閉止することを特徴とする請求項１記載の石油燃焼器の消火装置。
【発明の詳細な説明】
【０００１】
【産業上の利用分野】
この発明は通常消火時には消火時間を長くして悪臭の発生を抑え、緊急消火時には瞬間的に消火を行なう消火装置を備えた石油燃焼器に関する。
【０００２】
【従来の技術】
芯上下式石油燃焼器として芯収容筒の間隙に芯を上下動自在に取付け、芯収容筒の外方には空気室を隣接し、芯収容筒の間隙と空気室とが通気口によって連通したものがある。また、空気室には空気室と外気とを連通する空気流通孔を設け、外部の空気が空気室内に流入できるようになっており、消火の為に芯を通気口よりも低い位置に降下すると、空気室の空気が開口した通気口から芯収容筒の間隙内に流入し、一方、芯から気化する石油ガスは空気室内に拡散し、不可燃状態まで石油ガスが薄められて急速消火する。
【０００３】
また、石油ガスが不燃状態まで薄められる過程で空気室内で石油ガスと空気の混合比が均一な所定の値になると爆発燃焼を起こし、急に発生した燃焼ガスによって芯の先端の炎を吹き消して急速消火させることができる。
【０００４】
急速消火構造は地震等の非常時の消火装置として有効であるが、急速に消火させた為に多量の未燃ガスが放出されて悪臭を発生するものであった。この為、通常消火時には急速消火しないように未燃ガスを燃焼させながら芯収容筒の温度を下げていき、消火時間を長くする方法によって悪臭のない消火をねらったものがある。
【０００５】
即ち、芯が芯収容筒内を上下動する為にはやわらかい芯と芯収容筒とが接触した状態を維持しており、この状態では芯収容筒は芯によって密封できずに空気が流通できる隙間が形成され、芯の降下位置を通気口よりも高い位置に設定して芯が通気口を塞いだ状態でも、芯と芯収容筒とのわずかな隙間を介して通気口から少量の空気が芯の上端付近に流入している。この為、通常消火時に空気流通孔から空気室を経て通気口に至る空気量が芯から気化する石油ガスとバランスすると、小さな炎で燃焼を継続しながら消火するから、消火時間が長くなって悪臭の発生の少ない消火が実現できる。
【０００６】
【発明が解決しようとする課題】
ところで、緊急時に急速消火する為には芯収容筒内に空気を均一に流入させて芯収容筒内の石油ガス濃度を短時間で薄めて芯の先端部を不可燃状態にする必要があるが、芯を下げて小燃焼で使用中は芯収容筒が高温になりやすいから、この状態で消火すると、芯収容筒が高温の為に灯油の気化が促進され、芯収容筒内で芯から気化する石油ガス量が多くなるので従来の空気流入量では不可燃状態に薄めることができず、消火不能や消火時間が長くなる恐れがある。
【０００７】
この為、緊急時の急速消火を確実にするには、芯収容筒内の石油ガス濃度を短時間で不可燃状態にできるように空気流通孔の開口面積を広げ、空気室を経て通気口から芯収容筒に流入する空気量を多くする方法が考えられるが、空気流通孔を通過する空気量が多くなれば、燃焼中に流速の速い風が吹きつけた時に燃焼部のドラフトに対して空気量が異常に多くなって燃焼状態を悪化させる恐れがあり、この方法は実施できない。
【０００８】
一方、芯から気化する石油ガス量が増えた時には、芯から気化する石油ガスが空気室に拡散しやすく、空気室内で爆燃を起こす確率が高くなるが、確実な消火をねらう為には消火時に空気室に入る空気は少ない方がよく、空気流通孔に開閉弁を取付けて消火時に開閉弁を閉ざすことで消火の確立を高めることができる。
【０００９】
しかし、開閉弁によって空気流通孔を閉止すると、空気流通孔から空気室内への空気流入が遮断されて空気の流れが悪くなる為、通常消火時の芯収容筒内の上昇気流が小さい時は通気口からの空気流入がほとんどなく、芯収容筒内は空気不足となって燃焼を継続させることができずにすぐに消火してしまうことがあった。
【００１０】
【課題を解決するための手段】
この発明は上記の課題を解決する為に、芯内筒１と芯外筒２とで構成する芯収容筒３の間隙に芯４を上下動自在に取付け、かつ、芯収容筒３の外方に隣接して設けた空気室５と、該空気室５内に収納される芯上下装置６とを設け、芯４は芯上下装置６によって上下動すると共に、通常消火の芯降下位置よりも緊急消火の芯降下位置を低く設定し、かつ、前記空気室５には空気室５と外気とを連通する空気流通孔７を設けると共に、通常消火の芯降下位置よりも低く、緊急消火の芯降下位置よりも高い位置に芯収容筒３の間隙と空気室５とを連通する通気口８を設け、緊急消火時に降下した芯４によって通気口８が開口する石油燃焼器において、前記通気口８は芯収容筒３の全周に複数個所配置すると共に、前記芯外筒２には通常消火の芯降下位置よりも低く、通気口８よりも高い位置で空気室５の上方の芯収容筒３壁に外気と連通する空気孔９を設け、かつ、該空気孔９は通気口８の間に設けて通気口８と空気孔９とは交互に配置したものである。
【００１１】
また、前記通気口８はスリット状の開口を複数個並べて形成し、空気孔９は通気口８のない部分に複数個の小孔９ａを並べて形成したので、通気口８と空気孔９は緊急消火に必要な開口面積を維持すると共に、通常燃焼中は空気孔９を通過する空気が多くなって芯収容筒３の温度が低く維持できる。
【００１２】
また、芯４の上下動と連動して空気流通孔７を開閉する開閉弁１０を設け、空気流通孔７は開閉弁１０によって燃焼時に開口し、消火時に閉止する時は、空気流通孔７からの空気流入がなくても、通常消火時に必要な空気量を空気孔９によって確保することができるものとなった。
【００１３】
【作用】
この発明では通気口８よりも高い位置の空気室５の上方の芯収容筒３壁に外気と連通する空気孔９を設け、芯収容筒３の全周から平均して空気が流入するように空気孔９は通気口８のない部分に配置しており、通常消火時の芯降下位置は空気孔９よりも高い位置に設定して通常消火時に閉止される構造となっている。また、緊急消火時の芯降下位置は通気口８と空気孔９よりも低い位置に設定して緊急消火時に開口する構造となっている。
【００１４】
通常燃焼中は燃焼部のドラフトによって通気口８と空気孔９とから空気が少しづつ流入することは避けられず、この空気量は通気口８よりも芯４の上端に近い空気孔９から流入する空気量が多くなるものである。この為、燃焼量を下げて燃焼した時に芯収容筒３の温度が高くなりやすくとも、低温度の外気が空気孔９から流入して芯収容筒３の温度を低く維持することができ、燃焼量変化によって芯収容筒３の温度変化をほとんどなくすことができた。
【００１５】
また、通常消火時は芯４が芯収容筒３内に降下すると気化する石油ガス量が少なくなり、燃焼部内に残っているドラフトによって通気口８と空気孔９とから燃焼を継続させるのに最適な空気量を吸引するので、未燃ガスを燃焼しながら芯収容筒３は少しづつ温度を下げ、炎が小さくなってやがて自然消火する。
【００１６】
一方、緊急消火時は芯４が急速に降下する為に芯収容筒３内が負圧となり、降下した芯４によって開口したスリット状の通気口８と空気孔９の両方から空気が流入すると共に、スリット状の通気口８から石油ガスが空気室５に素早く拡散するから、芯収容筒３内の石油ガス濃度が不可燃状態に薄められて芯降下とほぼ同時に消火できる。
【００１７】
また、空気孔９を複数個の小孔９ａで構成することにより、小孔９ａを流速の遅い空気が通過する時は、小孔９ａの合計の断面積は大きいので一定の空気量の流入が可能であり、もし石油燃焼器の燃焼中に流速の速い風が吹き付けた時は、小径の小孔９ａによって抵抗を受けて空気孔９から流入しようとする空気が遮られるから、供給される空気量は大きく変化せず安定した燃焼状態を保つことができる。
【００１８】
一方、空気流通孔７に開閉弁１０を設けて消火時に閉止して消火の確実性をねらったものでは、通常消火時に芯収容筒３内の上昇気流によって芯４の上端に近い空気孔９から空気が流入するから、燃焼を継続しながら消火することができる。
【００１９】
【実施例】
図に示す芯上下式の石油燃焼器の実施例によってこの発明を説明すると、１は芯内筒、２は芯外筒、３は芯内筒１と芯外筒２とで構成する芯収容筒、４は芯収容筒３の間隙に上下動自在に取付けた芯、１１は芯収容筒３の下方に位置する油タンクであり、油タンク１１内の燃料は芯４の下端で吸上げられて芯４の上方に供給される。
【００２０】
６は芯上下操作を行なう芯上下装置、５は芯外筒２の外方に隣接した芯上下装置６が収納される空気室、７は空気室５の外壁に設けた空気室５と外気とを連通する空気流通孔、８は芯収容筒３と空気室５とを連通するスリット状に開口した通気口であり、該通気口８は芯収容筒３の全周に複数個並べて配置してある。
【００２１】
１２は芯収容筒３の上方に載架した燃焼筒であり、芯上下装置６によって芯４の上端を芯収容筒３の上方へ突出させ、点火ヒータなどの点火装置によって芯４に点火すると、芯４の下方で吸上げられた油タンク１１の燃料が芯４の上端で燃焼を開始し、発生する燃焼炎と燃焼ガスは燃焼筒１２とその上方で燃焼する。
【００２２】
芯４と芯収容筒３との間隙において、芯４が芯収容筒３内を上下動する為にわずかな隙間を形成しているから、燃焼中は燃焼筒１２のドラフトによって空気流通孔７から空気室５内に空気が流入し、空気室５内に流入した空気は芯４と芯収容筒３とのわずかな隙間を介して通気口８から芯収容筒３内に流入し、芯４の上部に供給している。
【００２３】
ところで、最近の石油燃焼器は地震などの緊急時には対震消火装置を作動して急速消火する必要があるが、急速消火した時は燃焼途中で消火する為に未燃ガスを放出して悪臭の原因となるので、急速消火の必要がない通常消火時には悪臭の発生しない消火装置を備えるものが好まれる。
【００２４】
この為、通常消火の芯降下位置よりも緊急消火の芯降下位置を低く設定し、通気口８は通常消火の芯降下位置よりも低く、緊急消火の芯降下位置よりも高い位置に設定している。
【００２５】
そして、通常消火時には芯収容筒３の間隙内に燃焼炎が引込まれて芯４から気化する石油ガス量が少なくなるが、通気口８は芯４によって塞がれていても少量の空気が流入して、この空気量が芯４から気化する石油ガス量とバランスして未燃ガスを燃焼しながら芯収容筒３の温度を下げ、未燃ガス量が少なくなると自然消火するので悪臭のない消火を可能としている。
【００２６】
一方、緊急消火時には急速降下した芯４によって芯収容筒３内が負圧となり、空気室５内の空気が開口した通気口８から芯収容筒３内に流入して石油ガス濃度を下げ、また芯収容筒３内で気化した石油ガスは空気室５内に拡散するから、芯収容筒３内の石油ガス濃度が不可燃状態まで薄められ、芯降下とほぼ同時に消火する。
【００２７】
しかし、従来の芯収容筒３の構造では、石油燃焼器を小燃焼で使用した時には、芯収容筒３の温度が高くなる為に芯４からの灯油の気化が促進され、芯４を下げた状態で燃焼が継続するので芯４から気化する石油ガスが薄められにくく、芯収容筒３内へ空気室５内から空気を供給続けるので、消火できなくなる恐れがあった。
【００２８】
この発明では燃焼中の燃焼状態の安定を図ると共に、通常消火時の消火性能を向上する為のものであり、９は通気口８よりも高い位置で空気室５の上方の芯収容筒３壁に設けた外気と連通する空気孔であり、該空気孔９は通気口８のない部分に設けて空気孔９と通気口８とが交互に並んで配置され、芯収容筒３の間隙内へ全周から平均して空気が流入可能となっている。
【００２９】
この為、通常燃焼中は燃焼筒１２のドラフトによって通気口８と空気孔９とから芯収容筒３内に少しづつ空気が流入するが、燃焼筒１１のドラフトは上記の空気孔９に影響しやすく、主として空気孔９から空気が流入することで流入する空気量は大きく変化しないので燃焼状態を悪化することはない。
【００３０】
また、通気口８よりも芯４の上端に近い空気孔９から流入する空気量が多くなり、空気孔９からは低温度の外気が流入するので、燃焼量を下げて燃焼した時にも空気孔９から流入する空気流によって芯収容筒３の温度上昇を抑えて芯収容筒３を低温度に維持でき、燃焼中に気化する石油ガス量も抑えることができる。
【００３１】
そして、空気孔９は通常消火時の芯降下位置よりも低い位置に設定したので、通常消火時に芯４が芯収容筒３内に降下した時は、通気口８と空気孔９とから空気が流入して未燃ガスを燃焼しながら芯収容筒３は少しづつ温度を下げ、芯収容筒３の温度が低下して気化ガス量が少なくなると炎が小さくなって自然消火するものである。
【００３２】
一方、緊急消火時に芯４を降下すると通気口８と空気孔９が開口し、芯収容筒３の全周から平均して空気が流入するから、芯収容筒３内の石油ガス濃度が不可燃状態に薄められて芯降下とほぼ同時に消火でき、燃焼状態に関係なく安定した急速消火性能が得られる。
【００３３】
また、燃焼中に空気孔９を流速の速い空気流が通過すると燃焼状態を悪化させる恐れがあり、防風手段を追加する必要がある。この発明の実施例において９ａは空気孔９を構成する小孔であり、該小孔９ａは通気口８のない部分に複数個並べて形成したので、小孔９ａの合計の断面積は必要とする空気孔９の断面積に匹敵する。
【００３４】
この為、燃焼中に小孔９ａを流速の遅い空気が通過する時は抵抗が小さく、一定の空気量の流入が可能であるが、石油燃焼器に風が吹き付けた時のような流速の速い空気では、小孔９ａによって抵抗を受ける為に芯収容筒３内の空気量の増加ができにくいので、供給される空気量は大きく変化しないから安定した燃焼状態を保つことができる。
【００３５】
また、緊急消火時に空気室５内で爆発燃焼を起こして急速消火させる構造において、１０は芯４の上下動と連動して空気流通孔７を開閉する開閉弁であり、該開閉弁１０によって空気流通孔７は燃焼中に開口し、消火時に閉止するものである。
【００３６】
緊急消火時に空気流通孔７を閉止すると、芯４から気化する石油ガスが空気室５内に拡散し、空気室５内で石油ガスと空気との混合ガスが均一な所定の値になると芯４の先端の炎によって爆発燃焼を起こし、急に発生した燃焼ガスによって芯４の先端の炎を吹き消して急速消火する。
【００３７】
上記の消火構造は、小燃焼中の芯収容筒３の温度が高い時は気化ガス量が多くなる為に空気室５内で爆発燃焼が可能となる混合比にまで薄めることができずに急速消火しない恐れがあるが、この発明では空気孔９から流入する空気によって芯収容筒３の温度を低温度に維持でき、また、もし芯収容筒３の温度が高くなっても、空気孔９から流入する空気で石油ガス濃度が薄められて爆発燃焼が可能な混合ガスとなるので急速消火性能は安定する。
【００３８】
更に、通常消火時に空気流通孔７を閉止すると空気室５内への空気流入が遮断されて空気の流れが悪くなり、燃焼筒１２のドラフトが弱い為に通気口８から芯収容筒３内に空気が流入しにくく、芯収容筒３内が空気不足となってすぐに消火して未燃ガスを放出させる恐れがあるが、この発明では空気孔９から流入する空気が芯４から気化する石油ガス量とバランスするから、未燃ガスを燃焼させながら消火することができる。
【００３９】
【発明の効果】
以上のようにこの発明では空気室５の上方の芯収容筒３壁に外気と連通する空気孔９を設けたから、燃焼筒１２のドラフトによって芯収容筒３内に流入する空気量は通気口８よりも芯４の上端に近い空気孔９の方が多くなり、空気孔９からは低温度の外気が流入して芯収容筒３の温度上昇を抑え、石油燃焼器を小燃焼で使用しても芯収容筒３は低温度を維持するので、緊急消火時に芯収容筒３内の石油ガス濃度は短時間で不可燃状態に薄めることができ、芯降下とほぼ同時に消火できる。
【００４０】
また、空気孔９はスリット状に開口した通気口９のない部分に設け、通気口８と空気孔９とが交互に並んだ配置としたから、芯収容筒３の間隙内へ全周から平均して空気が流入して、緊急消火時に必要な開口面積を維持して安定した消火性能を実現できるものとなった。
【００４１】
更に、芯外筒２に直接開けた空気孔９を複数個の小孔９ａを並べて構成すれば、燃焼中に小孔９ａを通過する空気の流速は遅くなり、石油燃焼器に風が吹きつけた時の流速の速い空気流は小孔９ａによって抵抗を受けて芯収容筒３内に流入しようとする空気が遮られ、小孔９ａの合計の断面積は空気孔９の断面積に匹敵するので流速が遅くとも一定の空気量の流入は可能となり、供給される空気量は大きく変化しないから安定した燃焼状態を保つことができ、芯収容筒３に空気孔９を設ける構造が実現できた。
【００４２】
一方、消火時に開閉弁１０によって空気流通孔７を閉止して緊急消火するものでは、通常消火時に通気口８から空気が流入しなくても、空気孔９から流入する空気によって芯収容筒３内へ空気を供給できるので、安定した消火性能を得ることができた。
【図面の簡単な説明】
【図１】この発明の実施例を示す石油燃焼器の断面図である。
【図２】この発明の実施例を示す石油燃焼器の要部断面図である。
【符号の説明】
１    芯内筒
２    芯外筒
３    芯収容筒
４    芯
５    空気室
６    芯上下装置
７    空気流通孔
８    通気口
９    空気孔
９ａ  小孔
１０    開閉弁
【図１】
0003738656.tif 000002
【図２】
0003738656.tif 000003